(57)【要約】【課題】比較的小さく構成されたボタンユニットを容易に壁面に取り付けることができるボタンユニット構造を提供する。【解決手段】壁面に取り付けられるボタンユニット構造において、ボタンユニットは、ケース上と、ボタン押下部を操作すると動作するためのスイッチが搭載されたスイッチ基板及びメイン回路等の電子部品が搭載されたメイン基板を収容するケース下と、壁面をケース下と挟み込んで固定するための取付金具と、ケース下と前記取付金具とを連結し壁面にとりつけるための取付ビスとから構成され、取付金具は、壁面に設けられた四角形の取付穴の大きさよりも小さく構成し、取付穴およびボタンユニットに対して、所定の角度回転した状態で壁面を挟み込み固定することを特徴とする。【選択図】図１
2009059495.tif 000002
【特許請求の範囲】
【請求項１】
壁面に取り付けられるボタンユニット構造において、
ボタンユニットは、ケース上と、前記ボタン押下部を操作すると動作するためのスイッチが搭載されたスイッチ基板及びメイン回路等の電子部品が搭載されたメイン基板を収容するケース下と、前記壁面を前記ケース下と挟み込んで固定するための取付金具と、前記ケース下と前記取付金具とを連結し壁面にとりつけるための取付ビスとから構成され、
前記取付金具は、壁面に設けられた四角形の取付穴の大きさよりも小さく構成し、前記取付穴およびボタンユニットに対して、所定の角度回転した状態で壁面を挟み込み固定することを特徴とするボタンユニット構造。
【請求項２】
前記所定の角度は30°〜60°とすることを特徴とする請求項１または請求項２記載のボタンユニット構造。
【発明の詳細な説明】
【技術分野】
【０００１】
本発明はボタンユニット構造に係り、特に比較的小さく構成されたボタンユニットを容易に壁面に取り付けることができるボタンユニット構造に関する。
【背景技術】
【０００２】
従来、壁面等の内部に後ケースの一部を埋設した状態で取り付けられ、前面側からスイッチを操作するスイッチボタン装置としては、種々のものが考案されており、その一般例として、たとえば特許文献１に開示されているようなスイッチボタン装置がある。このような一般的なスイッチボタン装置にあっては、スイッチ回路が形成されたスイッチ基板とメイン回路が形成されたメイン回路とが制御基板として一体的に形成されることが多い。そして、該制御基板は、スイッチ回路のＯＮ／ＯＦＦ操作機構の簡素化等に鑑み、壁面と略平行、すなわちスイッチボタン面と略平行となるような姿勢で後ケース等に取り付けられている。
【０００３】
【特許文献１】特開平７−３４６４９号公報
【発明の開示】
【発明が解決しようとする課題】
【０００４】
しかしながら、従来例のボタンユニット構造においては、図３及び図４に示すように橋架体が壁面の取付口よりも長いので、収容ボックスと橋架体を捻子部材で仮止めして壁面に取り付けようとすると取付口のところで斜めに傾けて挿入しなければならなかった。
このような状態で取付をおこなうと、うまく保持できないと取付金具（橋架体）が壁面に当たった衝撃により仮止めしていた捻子部材から外れてしまい取付金具が裏側へ落ちてしまったりして取り付けをおこなうことができない状況になる虞があった。
【０００５】
本発明は、上述の難点を解消するためになされたもので、比較的小さく構成されたボタンユニットを容易に壁面に取り付けるために、取付金具を壁面に設けた取付穴よりも小さく構成することにより、施工性を向上させることができるボタンユニット構造を提供することを目的とする。
【課題を解決するための手段】
【０００６】
上記目的を達成するために、本発明によるボタンユニット構造は、壁面に取り付けられるボタンユニット構造において、ボタンユニットは、ケース上と、ボタン押下部を操作すると動作するためのスイッチが搭載されたスイッチ基板及びメイン回路等の電子部品が搭載されたメイン基板を収容するケース下と、壁面をケース下と挟み込んで固定するための取付金具と、ケース下と取付金具とを連結し壁面にとりつけるための取付ビスとから構成され、取付金具は、壁面に設けられた四角形の取付穴の大きさよりも小さく構成し、取付穴およびボタンユニットに対して所定の角度回転した状態で壁面を挟み込み固定することを特徴とする。
【０００７】
この構成によれば、取付金具を壁面に設けた取付穴よりも小さく構成することにより比較的小さく構成されたボタンユニットを容易に壁面に取り付けることができる。
【０００８】
さらに、請求項１の発明において所定の角度は30°〜60°とすることを特徴とする。
この構成によれば、４箇所が壁面に接することができるので強固な固定をおこなうことができ、固定方法が容易なうえ、固定した状態を確実に維持することができる。
【発明の効果】
【０００９】
本発明によれば、比較的小さく構成されたボタンユニットを容易に壁面に取り付けるために、取付金具を壁面に設けた取付穴よりも小さく構成することにより、施工性を向上させることができるボタンユニット構造を提供することができる。
【発明を実施するための最良の形態】
【００１０】
以下、本発明によるボタンユニット構造を適用した好ましい形態の実施例について、図面を参照して説明する。
図１は、本発明によるボタンユニット構造における取付状態の斜視図である。
ボタンユニットの例として、トイレの壁面等に取り付けられる非常呼出ボタンを用いる。当該非常呼出ボタン１は、通常、トイレを使用する際に操作する各種ボタン（洗浄ボタン等）から少し間隔をあけた状態（通常、20mm程度）で単独で壁面に設置される。操作する用途が異なるため誤呼出を防ぐ意図がある。
なお、デザイン上、トイレの各種ボタンと違和感をなくす必要があるため、大きさはトイレの各種ボタンと略同一とされ、W50mm×H50mm×D17mm、シャーシ部分：D30mm程度の比較的小さいボタンとされる（図１）。
また、上記W50mm×H50mmに対してボタン押下部１２としては１辺が35mmの三角形状となっており、ケース上面積の20％程度となっていて比較的大部分がボタン押下部とされている。
【００１１】
次に、ボタンユニット構造を図２の分解斜視図等を用いて説明する。
非常呼出ボタン１は、ケース上１１、ボタン押下部１２、ボタン押下部１２が取り付けられるとともに当該ボタン押下部を操作すると動作するためのスイッチ１４が搭載されたスイッチ基板１３及びメイン回路等の電子部品が搭載されたメイン基板１５を収容するケース下１７、壁面をケース下と挟み込んで固定するための取付金具１８、ケース下１７と取付金具１８とを連結し壁面にとりつけるための取付ビス１６とから構成されている。
なお、ケース下１７にはメイン基板１５、スイッチ基板１３及びボタン押下部１２を固定するが本発明の要旨ではないので説明を省略するものとする。
そして、ケース下１７にメイン基板１５、スイッチ基板１３及びボタン押下部１２を固定し、更に、ボタン押下部１２の押下部分が前面に露出するように構成されたケース上１１が取り付けられる。また、ケース下１７と取付金具１８とは取付ビス１６により仮固定される（図３参照）。
【００１２】
この仮固定の状態で、図３に示すように、非常呼出ボタン１は、すでに所定の角度、本実施例においては45°を形成している。なお、本実施例においては45°としているが30°〜60°の角度であればよい。
このような状態で、壁面Ｋに取り付けるにあたっては、取付金具１８と取り付けるための壁面の取付口Ｋ２の方向を合わせて壁面Ｋの裏側へ挿入する。このとき、壁面の取付口Ｋ２は、取付金具よりも若干大きく形成されているので、挿入しやすくなっている。そして、ボタン押下部１２の方向を合わせるため、４５°回転させると図１に示すように取付金具１８の４隅が壁面Ｋの内側にあたる。この状態で取付ビス１６を締めることでケース下１７と取付金具１８が壁面Ｋを挟んで取り付けられる（図１）。
なお、上記実施例ではより強固に固定するため４隅Ｐを壁面にあてているが一つ以上あたっていれば固定することは可能である。
【００１３】
このとき取付金具は、壁面の取付穴の大きさよりも若干小さく構成されていて、壁面側に挿入しやすくなっているものである。本非常呼出ボタン１の構造として、機器本体の裏面と取付金具１８とをビス締めすることで壁面を両側から挟んで固定する構造としており、取付金具１８を壁面の取付穴と同じ方向として取り付けようとしても、上述のとおり、壁面Ｋの取付穴よりも取付金具１８のほうが小さいので取り付けられないが、取付穴に対して、所定の角度を有しているので取付金具１８の一部が壁面Ｋにあたる部分を作り出している。
【００１４】
また、シャーシ１７０は、取付金具１６を壁面の取付穴の大きさより小型化して施工性を向上させるためボタンの取付方向に対して所定の角度を有することにより多角形状となっているが、シャーシ形状を円形とすると方向を意識することなく取り付けられる。
【図面の簡単な説明】
【００１５】
【図１】ボタンユニット構造におけるボタンユニットを壁面に固定したことを示した斜視図である。
【図２】ボタンユニット構造におけるボタンユニットの分解斜視図を示した図である。
【図３】ボタンユニット構造におけるボタンユニットと取付金具とをビスで仮固定した場合の斜視図である。
【符号の説明】
【００１６】
１・・非常呼出ボタン（ボタンユニット）
１１・・ケース上
１２・・ボタン押下部
１３・・スイッチ基板
１４・・スイッチ
１５・・メイン基板
１６・・取付ビス
１７・・ケース下
１８・・押込操作部取付金具
Ｋ・・壁
Ｋ２・・壁側の取付口
Ｐ・・取付金具の隅（４つ）
【図１】
2009059495.tif 000003
【図２】
2009059495.tif 000004
【図３】
2009059495.tif 000005